(57)【要約】      （修正有）【課題】用途や使用範囲を拡大可能にして商品価値を高めたお守りを提供する。【解決手段】お守り袋１と、このお守り袋内に収納可能である音声発生守り札２とからなる。音声発生守り札２は薄型のケース５に録音再生体を組み込まれているものであり、録音再生体が録音再生用の中央制御部と、この中央制御部に接続されている音声データの記録部、マイク９、スピーカー１０、録音用スイッチ１１、再生用スイッチ１２及び電池１３とから構成されている。録音用スイッチ１１のオンにより、伝言を記録することができ、再生用スイッチ１２のオンにより伝言を再生することができる。【選択図】図１
0003153011.tif 000002
【実用新案登録請求の範囲】
【請求項１】
お守り袋と、このお守り袋内に収納可能である音声発生守り札とを備えており、
上記音声発生守り札は、支持体と、この支持体に組み込んである録音再生体とからなり、
上記録音再生体は、録音再生用の中央制御部と、この中央制御部に接続されている音声データの記録部、マイク、スピーカー、録音用スイッチ、再生用スイッチ及び電池とから構成されている
ことを特徴とするお守り。
【請求項２】
支持体は薄型のケースからなることを特徴とする請求項１記載のお守り。
【請求項３】
支持体は薄型のカードからなることを特徴とする請求項１記載のお守り。
【請求項４】
録音再生体は、中央制御部に接続している電源スイッチを組み込んであることを特徴とする請求項１乃至請求項３のいずれかに記載のお守り。  
【考案の詳細な説明】
【技術分野】
【０００１】
この考案は、音声を発生することができるお守りに関するものである。
【背景技術】
【０００２】
音声を発生することができるお守りとして、例えば実開昭６１−１５３５８６号公報に記載の「音声を発するお守り札」及び実公平３−５３３１号公報に記載の「お守り」（以下、「従来例１」及び「従来例２」という。）が提案されている。
従来例１は、透明袋内に守り札が収納されており、この守り札の文字板の裏面内部に音声合成ユニット、スピーカー及び電池を内蔵させている。弾性体によって支持された上記文字板の裏面に通電材料を配し、合掌した時の両手の圧力によって上記文字板の裏面の通電材料が電池の電極に接触して通電し、音声合成ユニットが作動し、スピーカーより音声を発する構造である。
従来例２は、お守り袋内にお札を収納してあり、このお札は御真言又はメロディーに対する音声信号を記録した記録部と、始動指令を受けて始動し、上記記録部の記録を読出し、その音声信号から音声を合成して出力する音声再生回路と、上記音声再生回路に始動指令を出力するセンサからなる音声発生回路を内蔵し、光に感応して上記御真言又はメロディーを発生するように構成されているものである。
【先行技術文献】
【特許文献】
【０００３】
【特許文献１】実開昭６１−１５３５８６号公報
【特許文献２】実公平３−５３３１号公報
【考案の概要】
【考案が解決しようとする課題】
【０００４】
従来例１及び従来例２は、常に持ち運びができ、神仏の式典の際に奏でられる御真言やメロディーを記録しておくことによっていつでも再生して聴くことができ、便利である。
しかしながら、これらの従来例では、用途が宗教的なものに限定され、そして記録されている内容が固定的であるために、その用途や使用範囲を拡大するには改善の必要があった。
この考案の目的は、その用途や使用範囲を拡大可能にして商品価値を高めることにある。
【課題を解決するための手段】
【０００５】
この考案に係るお守りは、お守り袋と、このお守り袋内に収納可能である音声発生守り札とを備えているものである。上記音声発生守り札は、支持体と、この支持体に組み込んである録音再生体とからなる。支持体には薄型のケースやカードが含まれる。上記録音再生体は、録音再生用の中央制御部と、この中央制御部に接続されている音声データの記録部、マイク、スピーカー、録音用スイッチ、再生用スイッチ及び電池とから構成されている。録音再生体は、中央制御部に接続している電源スイッチを組み込むようにすれば、使用者の意思に反して音声を発することを防止することができる。
【考案の効果】
【０００６】
この考案のお守りによれば、音声発生守り札に録音再生機能があるから、いつでも、どこでも希望するメッセージを記録再生することができるから、宗教行事に、神社仏閣神社のお参りに、受験時に、スポーツの競技時にその他日常の生活などにおいてお守りを必要とするときに、守りとしての機能が有効に発揮され、その用途や利用範囲が広くなり、その結果、実用性が増すと共に、商品価値を高めることができる。
【図面の簡単な説明】
【０００７】
【図１】この考案に係るお守りを分解した状態を示す正面図である。
【図２】この考案に係るお守りに使用する音声発生守り札を示す背面図である。
【図３】この考案に係るお守りに使用する音声発生守り札を示す平面図である。
【図４】この考案に係るお守りにおける録音再生体を示すブロック図である。
【図５】この考案に係るお守りにおける音声発生守り札の他の例を示す斜視図である。
【図６】この考案に係るお守りにおける図５に示す音声発生守り札に使用する録音再生体を示すブロック図である。
【考案を実施するための形態】
【０００８】
この考案に係るお守りの実施形態について説明する。
図１において、この考案に係るお守りは、お守り袋１と、このお守り袋内に収納可能である音声発生守り札２とを備えているものである。
【０００９】
図１に示すように、お守り袋１はその上端が開口部となっており、綴紐３によって開口部を開閉可能である。お守り袋１の正面には、お守りが音声を発する機能を備えていることを示す例えば「伝言お守り」又は「メッセージお守り」などの文字４（図示の例では「伝言お守り」）を表示しておくのが望ましい。
【００１０】
図１〜図４に示すように、音声発生守り札２は、支持体である薄型のケース５と、このケースに組み込んである録音再生体６とからなる。
録音再生体６は、図４に示すように録音再生用の中央制御部７と、この中央制御部に接続されている音声データの記録部８、マイク９、スピーカー１０、録音用スイッチ１１、再生用スイッチ１２、電源である電池１３及び電源スイッチ１４とから構成されている。
中央制御部７は録音再生用ＬＳＩが使用されている。音声データの記録部８は録音時の音声データを記録するために用いられる半導体メモリーである。図１に示すように、マイク９及びスピーカー１０をケース５の正面側に、また同じ側の下側に押しボタン形式の録音用スイッチ１１を上側に押しボタン形式の再生用スイッチ１２をそれぞれ配置してある。録音用スイッチ１１がオンの時には音声データがマイク９を通じて記録部８に記録される。また再生用スイッチ１２がオンの時には記録部８から音声データを読み出し、スピーカー１０を通じてケース５の外部に出力（発声）される。中央制御部７とマイク９との間に、そして中央制御部とスピーカー１０との間に、図示していないが、音声信号を増幅するためのアンプを設けてある。電池１３の電力は中央制御部７に供給される。スライド式の電源スイッチ１４は図３に示す例ではケース５の上端面に設けてある。
【００１１】
次に作動について説明する。
予め、お守り袋１内に音声発生守り札２を入れて、電源スイッチ１４をオンにしておく。
伝言（メッセージ）を録音する場合に、お守り袋１の正面外側から録音用スイッチ１１を押しながら、マイク９に向かって伝言のための音声を発すると、その音声が中央制御部７を介して記録部８に音声データとして記録される。
また、録音された伝言を再生するには、お守り袋１の正面外側から再生用スイッチ１２を押すことにより、記録部８に記録されている音声データが中央制御部７によりスピーカー１０を通じてお守り袋１の正面側から発声されるから、伝言を聴くことができる。
【００１２】
この考案に係るお守りの使用者としては、例えば下記の者が該当する。
伝言（メッセージ）を一方が他方に伝え、その伝言をお守りのように大切する関係にある者同士、例えば祖父母と孫、父母と子供、夫婦間、友人同士、恋人同士、恩師と教え子などの人間間に適用される。この場合には、伝言する一方が録音し、他方がお守りを通じて伝言を聴取する。
また、使用者は単独でも良い。この場合には、お守り袋１内に音声発生守り札２を入れたままの状態又はお守り袋内から音声発生守り札２を取り出した状態で、使用者はお守り袋又は音声発生守り札２を手に持ちながら操作するのであるが、録音用スイッチ１１を入れてから、使用者自ら、又は音声再生装置を用いて経、名言、家訓などを音声にしてマイク９を介して記録部８に記録する。
【００１３】
具体的な使用方法について説明する。
例えば受験生である子供に対して、親が激励のための伝言（メッセージ）を録音し、記録部８に録音した録音再生体６を備えている音声発生守り札２をお守り袋１に入れて渡せば、この子供は必要な時に再生用スイッチ１２を押すだけで親の伝言を再生して聴くことができる。親の伝言をお守りとして、子供は勉強に励むことができる。
また、使用者は、自分自身で経や名言などを録音再生体６の記録部８に録音してから、音声発生守り札２をお守り袋１に入れて常に携帯し、必要時に音声の再生をすることによって、心を落ち着かせたり、学習などの行動意欲を促すのに役立たせる。
このように、図示するお守りは、お守り袋１内に収納されている音声発生守り札２の録音再生体６をその外側から操作して音声の再生を通じて伝言お守りとしての機能が発揮される。
【００１４】
音声発生守り札の他の例を図５及び図６に示す。
図５及び図６において、音声発生守り札１０２は支持体を薄型のカード１０５で構成し、このカードに録音再生体１０６を組み込んでいる例である。
カード１０５はプラスチックカードである。録音再生体１０６の主要回路はカード１０５に実装されており、その構成は録音再生体６の主要回路と実質的に同一である。
録音再生体１０６における録音再生用の中央制御部１０７、この中央制御部に接続されている音声データの記録部１０８、マイク１０９、スピーカー１１０、録音用スイッチ１１１、再生用スイッチ１１２、電源である電池１１３及び電源スイッチ１１４は、図１及び図４に示す録音再生体６における録音再生用の中央制御部７、音声データの記録部８、マイク９、スピーカー１０、録音用スイッチ１１、再生用スイッチ１２、電源である電池１３及び電源スイッチ１４にそれぞれ対応している。
図５に示すように、カード１０５の正面の右側にマイク１０９及びスピーカー１１０を、左側に録音用スイッチ１１１及び再生用スイッチ１１２を配置し、上側に電源スイッチ１１４を設けてある。
音声発生守り札１０２の操作方法は音声発生守り札２の操作方法と同様である。
図５に示す音声発生守り札１０２によれば、お守りを軽量化することができる。
【００１５】
図５に示す音声発生守り札１０２において、伝言をお守り保持者のみ利用可能とする場合にはキーボードを兼用する電源スイッチであっても良い。暗証番号に相当する番号をキーボードのテンキーを利用して打ち込むことにより、電源スイッチが入るようにする。暗証番号に相当する番号とは異なるキーが打ち込まれたときには、電源スイッチは入らない。この場合には、秘密を保持することができる。
【符号の説明】
【００１６】
１                  お守り袋
２                  音声発生守り札
５                  ケース（支持体）
１０５              カード（支持体）
６，１０６          録音再生体
７，１０７          中央制御部
８，１０８          音声データの記録部
９，１０９          マイク
１０，１１０        スピーカー
１１，１１１        録音用スイッチ
１２，１１２        再生用スイッチ
１３，１１３        電源である電池
１４，１１４        電源スイッチ
【図１】
0003153011.tif 000003
【図２】
0003153011.tif 000004
【図３】
0003153011.tif 000005
【図４】
0003153011.tif 000006
【図５】
0003153011.tif 000007
【図６】
0003153011.tif 000008